(57)【要約】【課題】コンクリート構造物の維持管理時に、コンクリート管理情報を容易に取得できるようにする。【解決手段】コンクリート構造物１を打設ロットに応じて区分した各区分毎に、コンクリート打設現場及びコンクリート出荷場所からコンクリート管理情報を取得し管理用コンピュータ２に入力し、この管理用コンピュータ２に記録されたコンクリート管理情報を各区分毎に識別するための情報を二次元コード３にコード化するとともに、二次元コード出力装置４によって印字し、この二次元コード３を各区分毎にコンクリート構造物１の表面に付しておき、その後のコンクリート管理時に、二次元コード読取装置５によって読み取った前記識別情報を管理用コンピュータ２に伝送することによって、各区分毎にコンクリート構造物１のコンクリート管理情報を表示する。【選択図】図１
2010196316.tif 000002
【特許請求の範囲】
【請求項１】
打設ロットに応じて区分した各区分毎にコンクリート管理情報が記録される管理用コンピュータと、各区分毎のコンクリート管理情報を識別するための情報が書き込まれた二次元コードを印字する二次元コード出力装置と、前記二次元コードを読み取るための二次元コード読取装置とを備え、
コンクリート構造物を打設ロットに応じて区分した各区分毎に、コンクリート打設現場及びコンクリート出荷場所からコンクリート管理情報を取得し前記管理用コンピュータに入力し、この管理用コンピュータに記録されたコンクリート管理情報を各区分毎に識別するための情報を二次元コードにコード化するとともに、前記二次元コード出力装置によって印字し、この二次元コードを各区分毎にコンクリート構造物の表面に付しておき、
その後のコンクリート管理時に、前記二次元コード読取装置によって読み取った前記識別情報を前記管理用コンピュータに伝送することによって、各区分毎にコンクリート構造物のコンクリート管理情報が表示されるようにしたことを特徴とするコンクリート構造物の品質管理方法。
【請求項２】
前記コンクリート管理情報は、構造データ、コンクリート配合データ、施工記録データ、強度試験データ、使用材料データ及びコンクリート受入試験値データの内のいずれか又は組み合わせからなる初期登録情報と、必要に応じて維持管理後に追加される取得追加情報とする請求項１記載のコンクリート構造物の品質管理方法。
【請求項３】
前記二次元コード読取装置は、前記コンクリート管理情報が表示可能な表示部を有するとともに、前記管理用コンピュータと双方向に情報通信可能とされ、前記二次元コード読取装置によって読み取った前記識別情報を前記管理用コンピュータに伝送することによって、コンクリート構造物の前記コンクリート管理情報が前記二次元コード読取装置の表示部に表示される請求項１、２いずれかに記載のコンクリート構造物の品質管理方法。
【請求項４】
前記二次元コードは、印字された二次元コードが接着されたパネル又は二次元コードを直接印字したパネルをコンクリート構造物の表面に接着又はビス固定する請求項１〜３いずれかに記載のコンクリート構造物の品質管理システム。
【発明の詳細な説明】
【技術分野】
【０００１】
本発明は、二次元コードを利用してコンクリート構造物のコンクリート管理情報を取得するコンクリート構造物の品質管理方法に関する。
【背景技術】
【０００２】
従来より、対象物のトレーサビリティ管理、物流管理、在庫管理、生産ライン管理などを目的として、二次元コードを用いて各種情報を取得する技術が利用されている。
【０００３】
例えば下記特許文献１では、陶磁器材料で形成される略板状の基材と、上記基材を焼成した後の表面に釉薬を付着して焼成することで形成され、上記基材とは異なる色に形成される釉薬層と、上記釉薬層を貫通して形成され、二次元コードパターン部を形成する複数の微小凹部とを有する二次元コード付きタイルが開示されている。
【０００４】
また、下記特許文献２では、各種の情報を表示した柔軟性シートを枠体に緊張させて張架した建て看板において、前記柔軟性シートには、オリジンサーバの識別情報を示すＱＲコード（登録商標）を表示している立て看板が開示されている。
【先行技術文献】
【特許文献】
【０００５】
【特許文献１】ＷＯ２００５／１２１０４８号公報
【特許文献２】実用新案登録第３１２００１０号
【発明の概要】
【発明が解決しようとする課題】
【０００６】
ところで、トンネルダム、コンクリート橋などのコンクリート構造物では、構築後の維持管理において、コンクリートに関する各種のコンクリート管理情報を得るには、その位置情報を基に施工当時の膨大な資料の中から検索しなければならず、非常に手間がかかって面倒であった。
【０００７】
そこで本発明の主たる課題は、コンクリート構造物供用後の維持管理時において、コンクリート管理情報を容易に取得できるようにすることにある。
【課題を解決するための手段】
【０００８】
前記課題を解決するために請求項１に係る本発明として、打設ロットに応じて区分した各区分毎にコンクリート管理情報が記録される管理用コンピュータと、各区分毎のコンクリート管理情報を識別するための情報が書き込まれた二次元コードを印字する二次元コード出力装置と、前記二次元コードを読み取るための二次元コード読取装置とを備え、
コンクリート構造物を打設ロットに応じて区分した各区分毎に、コンクリート打設現場及びコンクリート出荷場所からコンクリート管理情報を取得し前記管理用コンピュータに入力し、この管理用コンピュータに記録されたコンクリート管理情報を各区分毎に識別するための情報を二次元コードにコード化するとともに、前記二次元コード出力装置によって印字し、この二次元コードを各区分毎にコンクリート構造物の表面に付しておき、
その後のコンクリート管理時に、前記二次元コード読取装置によって読み取った前記識別情報を前記管理用コンピュータに伝送することによって、各区分毎にコンクリート構造物のコンクリート管理情報が表示されるようにしたことを特徴とするコンクリート構造物の品質管理方法が提供される。
【０００９】
上記請求項１記載の発明では、コンクリート構造物を打設ロットに応じて区分した各区分毎に、コンクリート打設現場及びコンクリート出荷場所からコンクリート管理情報を取得し前記管理用コンピュータに入力し、この管理用コンピュータに記録されたコンクリート管理情報を各区分毎に識別するための情報を二次元コードにコード化するとともに、前記二次元コード出力装置によって印字し、この二次元コードを各区分毎にコンクリート構造物の表面に付しておき、その後のコンクリート管理時に、前記二次元コード読取装置によって読み取った前記識別情報を前記管理用コンピュータに伝送することによって、各区分毎にコンクリート構造物のコンクリート管理情報が表示されるようにしたため、コンクリート管理情報を容易に取得することができるようになる。
【００１０】
請求項２に係る本発明として、前記コンクリート管理情報は、構造データ、コンクリート配合データ、施工記録データ、強度試験データ、使用材料データ及びコンクリート受入試験値データの内のいずれか又は組み合わせからなる初期登録情報と、必要に応じて維持管理後に追加される取得追加情報とする請求項１記載のコンクリート構造物の品質管理方法が提供される。
【００１１】
上記請求項２記載の発明では、前記コンクリート管理情報は、構造データ、コンクリート配合データ、施工記録データ、強度試験データ、使用材料データ及びコンクリート受入試験値データの内のいずれか又は組み合わせからなる初期登録情報と、必要に応じて維持管理後に追加される取得追加情報とするものであるため、これらの情報を簡単に取得することにより維持管理に資することができる。また、前記コンクリート管理情報は、任意に更新可能であるので、その後の維持管理において取得された取得追加情報も順次、追加することが可能である。
【００１２】
請求項３に係る本発明として、前記二次元コード読取装置は、前記コンクリート管理情報が表示可能な表示部を有するとともに、前記管理用コンピュータと双方向に情報通信可能とされ、前記二次元コード読取装置によって読み取った前記識別情報を前記管理用コンピュータに伝送することによって、コンクリート構造物の前記コンクリート管理情報が前記二次元コード読取装置の表示部に表示される請求項１、２いずれかに記載のコンクリート構造物の品質管理方法が提供される。
【００１３】
上記請求項３記載の発明は、二次元コード読取装置の形態例について規定したものであり、前記コンクリート管理情報が表示可能な表示部を有するとともに、前記管理用コンピュータと双方向に情報通信可能とされ、前記二次元コード読取装置によって読み取った前記識別情報を前記管理用コンピュータに伝送することによって、コンクリート構造物の前記コンクリート管理情報が前記二次元コード読取装置の表示部に表示されるようにしたものである。これにより、現場で簡単にコンクリート管理情報を取得することができるようになる。
【００１４】
請求項４に係る本発明として、前記二次元コードは、印字された二次元コードが接着されたパネル又は二次元コードを直接印字したパネルをコンクリート構造物の表面に接着又はビス固定する請求項１〜３いずれかに記載のコンクリート構造物の品質管理システムが提供される。
【００１５】
上記請求項４記載の発明は、二次元コードの具体的な固定手段を規定したものである。
【発明の効果】
【００１６】
以上詳説のとおり本発明によれば、コンクリート構造物の維持管理後、コンクリート管理情報を容易に取得できるようになる。
【図面の簡単な説明】
【００１７】
【図１】本発明に係る品質管理システムのシステム構成図である。
【図２】コンクリート管理情報の表示例図である。
【発明を実施するための形態】
【００１８】
以下、本発明の実施の形態について図面を参照しながら詳述する。
【００１９】
本発明に係るコンクリート構造物１の品質管理システムは、図１に示されるように、打設ロットに応じて区分した各区分毎にコンクリート管理情報が記録される管理用コンピュータ２と、各区分毎のコンクリート管理情報を識別するための情報が書き込まれた二次元コード３を印字する二次元コード出力装置４と、前記二次元コード３を読み取るための二次元コード読取装置５と、前記二次元コード読取装置５が接続されるとともに、前記管理用コンピュータ２と情報回線網を介して相互に情報通信可能に接続された読取用コンピュータ６と、コンクリート打設現場からコンクリート管理情報を前記管理用コンピュータ２に入力する現地情報入力装置７と、コンクリート出荷場所からコンクリート管理情報を前記管理用コンピュータ２に入力する出荷情報入力装置８とから構成されている。前記現地情報入力装置７及び出荷情報入力装置８は、それぞれ管理用コンピュータ２と情報回線網などを介して相互に情報通信可能に接続されている。
【００２０】
そして、コンクリート構造物を打設ロットに応じて区分した各区分毎に、コンクリート打設現場及びコンクリート出荷場所からコンクリート管理情報を取得し前記管理用コンピュータ２に入力し、この管理用コンピュータ２に記録されたコンクリート管理情報を各区分毎に識別するための情報を二次元コードにコード化するとともに、前記二次元コード出力装置４によって印字し、この二次元コードを各区分毎にコンクリート構造物の表面に付しておき、
その後のコンクリート管理時に、前記二次元コード読取装置５によって読み取った前記識別情報を前記管理用コンピュータ２に伝送することによって、各区分毎にコンクリート構造物のコンクリート管理情報が表示されるようにしたものである。
【００２１】
なお、図１に示される例では、前記コンクリート構造物１として、トンネルＴが図示されているが、本発明に係る品質管理方法は、この他にコンクリート造の建物、発電所、ダムなど種々のコンクリート構造物に適用できる。
【００２２】
以下、トンネルＴを例に挙げ具体的に詳述する。
【００２３】
トンネルＴの切羽近傍では、ホイールジャンボ、吹付け機、ホイールローダ等のトンネル施工用重機が配置され、例えば、上半及び下半の一括の併行作業により掘削を行うミニベンチ工法により、上半及び下半のそれぞれにおいてロックボルト削孔および装薬孔・装薬を併行して行った後、上半及び下半を一気に切り崩し、その後ズリ出し→当り取り→一次吹付け→セントル１０の建込み→二次覆工コンクリートの打設の手順にて掘削作業が１サイクル毎に行われる。ここで、前記二次覆工コンクリートの打設ロットは、セントル１０の長さ毎に行われる。
【００２４】
前記セントル１０は、前記トンネル施工用重機の後方に設置され、図１に示されるように、トンネルＴの内壁面との間に隙間を形成するように配設される型枠部材１１と、この型枠部材１１を支持する支持フレーム１２と、この支持フレーム１２が走行可能でトンネルＴの下面に敷設される走行レール１３とから主に構成される。
【００２５】
前記型枠部材１１は、トンネルＴの内壁面に沿って設けられ、その外面は平滑に形成されるとともに、コンクリートとの剥離性に優れる材質で構成されている。また、前記型枠部材１１は、トンネルＴの周方向に対して複数個のパーツに分割して設けられ、各パーツが連結して構成されている。前記支持フレーム１２は、略門型の鉄骨材などからなる門型フレーム１２Ｂと、前記型枠部材１１が取り付けられる前記油圧シリンダ１２Ａなどの連結部材とから構成されている。前記走行レール１３は、前記門型フレーム１２Ｂを走行可能に支持し、トンネルＴの下面に長手方向に沿って２本敷設されている。
【００２６】
前記コンクリート管理情報は、構造データ、コンクリート配合データ、施工記録データ、強度試験データ、使用材料データ及びコンクリート受入試験値データの内のいずれか又は組み合わせからなる初期登録情報と、必要に応じて維持管理後に追加される取得追加情報とから構成される。
【００２７】
前記初期登録情報に関して、前記構造データとしては、例えば１次吹付け厚、２次覆工コンクリート厚、トンネルＴの高さ及び幅等からなる。前記コンクリート配合データとしては、例えば単位水量、単位セメント量、水セメント比、単位細骨材量、細骨材率等からなる。前記施工記録データとしては、例えば工事名、施工業者、コンクリート打設日、生コン工場名、配合記号、設計図書（図面及び数量表等）、工事写真等からなる。前記強度試験データとしては、圧縮強度試験値（７日、２８日）、試験写真等からなる。前記使用材料データとしては、例えばセメント会社、細・粗骨材産地等からなる。前記コンクリート受入試験値データとしては、例えばスランプ値、空気量、塩分量、試験写真等からなる。
【００２８】
また、必要に応じて維持管理後に追加される取得追加情報としては、維持管理で取得した例えば、浮き、剥離、漏水等の調査データや内部応力の経時変化、ひび割れ計測、中性化深さ、化学腐食等の調査データ、画像付の維持管理記録等からなる。
【００２９】
前記現地情報入力装置７は、コンクリート打設現場のコンクリート管理情報、例えば、打設場所、配合データ、スランプ値、空気量、コンクリート温度、現場写真等を前記管理用コンピュータ２に入力する装置であり、デジタルカメラ付携帯電話機などを使用することもできる。
【００３０】
前記出荷情報入力装置８は、コンクリート出荷場所（コンクリートプラント）でのコンクリート管理情報、例えば、強度試験データ等を前記管理用コンピュータ２に入力する装置である。
【００３１】
前記現地情報入力装置７及び出荷情報入力装置８によって入力されたコンクリート管理情報は、管理用コンピュータ２に送られ、打設ロットに応じて区分した各区分毎に、コンクリート管理情報を各区分毎に識別するための情報と共に記憶される。そして、前記管理用コンピュータ２において、コンクリート管理情報を各区分毎に識別するための情報を二次元コードにコード化するとともに、前記二次元コード出力装置４によって印字される。
【００３２】
出力された前記二次元コード３としては、縦、横二方向に情報を持つことで、記録できる情報量を飛躍的に増加させたＱＲコード（登録商標）などを使用することができ、コンクリート構造物１の前記コンクリート管理情報が記録されたファイル名、シート名、コード名、ＵＲＬ（Ｕｎｉｆｏｒｍ Ｒｅｓｏｕｒｃｅ Ｌｏｃａｔｏｒ）などの文字データからなる識別情報をコード化したものである。
【００３３】
前記二次元コード３は、専用の作成ソフトなどによって前記識別情報の文字データを画像データとして簡単にコード化することができ、コード化した画像データはプリンタなどの前記二次元コード出力装置４によって印字することができる。
【００３４】
前記二次元コード読取装置５は、印字された前記二次元コード３を読み取り可能な装置であり、専用装置の他、ハンディターミナル、デジタルカメラ付き携帯電話機、デジタルカメラなどの画像データとして読み取り可能な装置を使用することができる。
【００３５】
前記二次元コード読取装置５は、無線又は有線の通信手段によって前記管理用コンピュータ２にデータ送信可能とされている。図示例では、二次元コード読取装置５が読取用コンピュータ６に無線又は有線で接続されるとともに、前記読取用コンピュータ６が前記管理用コンピュータ２と情報回線網を介して相互に情報通信可能に接続されることによって、二次元コード読取装置５で読み取った二次元コード３の画像データを読取用コンピュータ６で識別情報の文字データに変換した後、管理用コンピュータ２に伝送して対応するコンクリート管理情報を読取用コンピュータ６に表示できるようになっている。
【００３６】
また、前記二次元コード読取装置５は、デジタルカメラ付き携帯電話機のようにコンクリート管理情報が表示可能な表示部を有するとともに、管理用コンピュータ２と双方向に情報通信可能とされ、二次元コード読取装置５によって読み取った識別情報を管理用コンピュータ２に直接伝送することによって、コンクリート構造物１のコンクリート管理情報の全部又は一部が二次元コード読取装置５の表示部に表示されるものであってもよい。
【００３７】
前記二次元コード３は、コンクリートの打設ロットに応じて区分した各区分毎にコンクリート管理情報が取得され、各区分毎にコード化され、各区分毎にコンクリート構造物の表面に付されている。図示例では、トンネルＴの二次覆工コンクリートの打設毎（セントル１０の長さ毎）、所定区間長毎、工期毎又は施工日毎などに区分することができる。
【００３８】
前記二次元コード３は、維持管理後に容易に読取可能なようにコンクリート構造物１の表面に付される。図示例のトンネルＴの場合、二次元コード３はトンネルＴの内壁面の表面に付されている。ここで、前記二次元コード３は、印字された二次元コード３が接着されたパネル又は二次元コードを直接印字したパネルをコンクリート構造物１の表面に接着又はビス固定などの固定手段によって固定されることが好ましい。具体的に、接着による固定手段としては、前記二次元コード出力装置４によって印字した二次元コード３の裏面に接着剤を塗布してトンネルＴの内壁面の表面又はその表面に固設された接着用のパネルに接着する。また、ビス固定による固定手段としては、印字した二次元コード３が接着されたパネル又は二次元コードを直接印字したパネルを、コンクリートビスなどによってトンネルＴの内壁面の表面にビス固定する。
【００３９】
図２は、コンクリート管理情報の表示例図である。コンクリート構造物１の表面に付された二次元コード３を前記二次元コード読取装置５によって読み取ることにより、その識別情報からコンクリート構造物１のコンクリート管理情報が容易に取得できるようになる。かかるコンクリート管理情報の表示は、前記管理用コンピュータ２のモニタや、前記読取用コンピュータ６又は表示部を有する二次元コード読取装置５のいずれか又は二以上同時とすることができる。表示されるコンクリート管理情報は、任意の項目からなる表やグラフとして表示したり、帳票として印刷したりすることができる。
【符号の説明】
【００４０】
１…コンクリート構造物、２…管理用コンピュータ、３…二次元コード、４…二次元コード出力装置、５…二次元コード読取装置、６…読取用コンピュータ、１０…セントル、７…現地情報入力装置、８…出荷情報入力装置、Ｔ…トンネル
【図１】
2010196316.tif 000003
【図２】
2010196316.tif 000004